(57)【要約】      （修正有）【課題】圧電セラミック素子本体の振動子接点部に計測時、被測定物体に接触させたときの加重が加わっても検出不能の状態に陥ることのない、振動子接点部の強度を高め、圧電セラミック素子本体の過度な加重により電極面の剥離などにも強度を保持でき、計測の信頼性を向上する事ができる傾斜付切欠き部付き圧電セラミック素子と素子本体の保持具を提供する。【解決手段】圧電セラミック素子本体に設けた振動子接点部に被測定物体を接触させ、圧電電極面部に設けた信号取出し接点部に信号取出し配線の配線をハンダ付けをして、周波数の変化を計測できるように設け、圧電セラミック素子本体を堅固に保持できるように傾斜付切欠き部を備えたことを特徴とする圧電セラミック素子本体である。【選択図】図１
0003133602.tif 000002
【実用新案登録請求の範囲】
【請求項１】
圧電セラミック素子本体の正面部に振動子接点部を設け、上下もしくは左右対称面の圧電電極面部２点に信号取出し接点部を設け、信号取出し接点部に信号取出し配線を設け、圧電セラミック素子本体を固定保持できるように圧電電極同体部４面に傾斜付切欠き部を設けた傾斜付切欠き部付き圧電セラミック素子本体。
【請求項２】
素子本体右保持具と素子本体左保持具に圧電電極同体固定凸部と信号取出し配線を設け、信号取出し接点部及び信号取出し配線に負荷がかからないように中空を備えた半円部を設け、素子本体右保持具と素子本体左保持具を咬合させて、圧電電極胴体部の４面に設けた傾斜付切欠き部に、素子本体右保持具と素子本体左保持具に設けた圧電電極同体固定凸部の４点面から圧電セラミック素子本体に設けた傾斜付切欠き部を保持し係止できるように設けた素子本体保持具。
【請求項３】
素子本体右保持具と素子本体左保持具に圧電電極同体固定凸部を設け、素子本体右保持具と素子本体左保持具を咬合させて、圧電電極胴体部の４面に設けた傾斜付切欠き部に、素子本体右保持具と素子本体左保持具に設けた圧電電極同体固定凸部の４点面から圧電セラミック素子本体に設けた傾斜付切欠き部を保持し係止できるように設け、素子本体右保持具と素子本体左保持具を咬合させた形状を保ち、外力が加わって、変形あるいは衝撃の影響を緩和し破損しにくいように、素子本体保持具内に、樹脂モールドを埋めて固定化するように設けた素子本体保持具。
【考案の詳細な説明】
【技術分野】
【０００１】  本考案は、振動子接点部を設けた傾斜付切欠き部付き圧電セラミック振動子の圧電セラミック素子本体に設けた振動子接点部に被測定物体を接触させ、圧電電極面部に設けた信号取出し接点部から引き出した信号取出し部の配線より周波数の変化を計測する傾斜付切欠き部付き圧電セラミック素子本体と素子本体保持具に圧電セラミック素子本体を係止して保持する素子本体の保持具に関するものである。
【背景技術】
【０００２】  従来の圧電セラミックは圧電セラミックの側面に銅板の電極を圧電セラミックの電極面にハンダ付けをし、ハンダ付けをした銅板電極に接点部設け、四角い棒形状の圧電セラミックの先端に接触子を備え、圧電セラミックを固定するに当たりその電極を固定するプラスチックの円状がたのホルダーを半円にした形状の中央部に四角い棒形状の圧電セラミックを挟み固定する為に、各半円のホルダー本体に切り込みを入れた角状の溝を設け、二つの半円ホルダで挟み込みして切込みのみで保持していた。
【考案の開示】
【考案が解決しようとする課題】
【０００３】その為に次のような問題があった。
信号線はハンダ付け部より取出していた為、振動子接点部計測時の荷重が、直接ハンダ付け部にかかり、過度の加重が係った場合電極面よりハンダ付け部が、よく剥離し検査不能になる問題点があった。
従来のこのような方式で圧電セラミックの側面に銅板電極面をハンダ付けで固定している為計測時に、圧電セラミック振動子を被測定物体に接触子を接触させたとき、加重が銅板電極を圧電セラミックの側面に電極面をハンダ付けをした形状で固定していた為、常時加重がハンダ付けをして固定しているハンダ部にかかり、過度の加重がかかった状態で計測するため圧電セラミック側面の銅板電極部が剥離し検出不能の状態に陥る問題点もあった。本考案は以上の問題点を解決する為になされたものである。
【課題を解決するための手段】
【０００４】  本考案は、傾斜付切欠き部付き圧電セラミック素子本体に設けた振動子接点部に被測定物体を接触させ、圧電電極面部に設けた信号取出し接点部にハンダ付けをした信号取出し部を配線し周波数の変化を計測できる圧電セラミック素子本体であり、傾斜付切欠き部付きを設けた圧電セラミック素子本体を保持するには、素子本体右保持具と素子本体左保持具の半円形状の保持具本体を設け、保持具本体に圧電電極同体固定凸部を設け、圧電セラミック素子本体に設けた傾斜付切欠き部に、素子本体保持具に設けた圧電電極同体固定凸部を係止するように保持して設けた傾斜付切欠き部付き圧電セラミック素子と素子本体の保持具である。
【考案の効果】
【０００５】  （イ）過度の加重に耐えられるように、圧電セラミック素子本体に設けた圧電電極胴体部に傾斜付き切欠き部を設け、素子本体保持具に設けた圧電電極同体固定凸部により傾斜付き切欠き部を固定し保持し係止できるように設け堅固になった。
（ロ）ハンダ付け部は外力などが働くと信号波形が歪み、正常な信号を取りだせない事がある。従ってハンダ付け部が接触しない空隙のある構造に素子本体保持具に半円部を設け信号取出し配線等が触れない保持具を提供出来るようになった。
【考案を実施するための最良の形態】
【０００６】    以下本考案の実施の形態に付いて説明する。
（イ）圧電セラミック素子本体（９）の正面部に振動子接点部（１０）を設け、上下もしくは左右対称面の圧電電極面部（６）（６）２点に信号取出し接点部（８）（８）を設ける。
（ロ）信号取出し接点部（８）（８）に信号取出し配線（１１）（１１）を設け、圧電セラミック素子本体（９）を固定保持できるように圧電電極胴体部（５）４面に傾斜付切欠き部（７）（７）（７）（７）を設けた傾斜付切欠き部付き圧電セラミック素子本体。
（ハ）素子本体右保持具（１）と素子本体左保持具（２）に圧電電極同体固定凸部（３）と信号取出し配線（１１）（１１）を設ける。
（ニ）信号取出し接点部（８）（８）及び信号取出し配線（１１）（１１）に負荷がかからないように中空を備えた半円部（４）（４）を設け、素子本体右保持具（１）と素子本体左保持具（２）を咬合する。
（ホ）圧電電極胴体部（５）の４面に設けた傾斜付切欠き部（７）（７）（７）（７）に、素子本体右保持具（１）と素子本体左保持具（２）に設ける。
（ヘ）圧電電極同体固定凸部（３）（３）（３）（３）の４点面から圧電セラミック素子本体（９）に設けた傾斜付切欠き部（７）（７）（７）（７）を保持し係止できるように設けた素子本体保持具。
（ト）素子本体右保持具（１）と素子本体左保持具（２）に圧電電極同体固定凸部（３）（３）を設ける。
（チ）素子本体右保持具（１）と素子本体左保持具（２）に圧電電極同体固定凸部（３）（３）を設け、素子本体右保持具（１）と素子本体左保持具（２）を咬合させる。
（リ）圧電電極胴体部（５）の４面に設けた傾斜付切欠き部（７）（７）（７）（７）に、素子本体右保持具（１）と素子本体左保持具（２）に設けた圧電電極同体固定凸部（３）（３）の４点面から圧電セラミック素子本体（９）に設けた傾斜付切欠き部（７）（７）（７）（７）を保持し係止できるように設ける。
（ヌ）素子本体右保持具（１）と素子本体左保持具（２）を咬合させた形状を保ち、外力が加わって、変形あるいは衝撃の影響を緩和し破損しにくいように、素子本体保持具内に、樹脂モールドを埋めて固定化するように設けた素子本体保持具。
本考案は、以下の構造で、圧電セラミック素子本体（９）を使用する時は、素子本体右保持具（１）と素子本体左保持具（２）に係合するように圧電セラミック素子本体（９）に嵌合し、振動子ホルダー（１４）に装着し、内ホルダー（１２）及び先端部ホルダー（１３）に固着するように設け、外円筒（１５）に振動子ホルダー（１４）を嵌通するように設け、発信機本体（１６）等に装着して使用する。
【図面の簡単な説明】
【００７】
【図１】  本考案の分解状態で示す保持具の斜視図
【図２】  本考案の素子本体斜視図
【図３】  本考案の保持具を示す斜視図
【図４】  本考案の使用取り付け状態を示す断面図
【図５】  本考案の使用取り付け状態を示す正面図
【図６】  本考案の使用取り付け状態を示す斜視図
【符号の説明】
【００８】  １  素子本体右保持具
２  素子本体左保持具
３  圧電電極同体固定凸部
４  半円部
５  圧電電極胴体部
６  圧電電極面部
７  傾斜付切欠き部
８  信号取出し接点部
９  圧電セラミック素子本体
１０  振動子接点部
１１  信号取出し配線
１２  内ホルダー
１３  先端部ホルダー
１４  振動子ホルダー
１５  外円筒
１６  発信機本体
【図１】
0003133602.tif 000003
【図２】
0003133602.tif 000004
【図３】
0003133602.tif 000005
【図４】
0003133602.tif 000006
【図５】
0003133602.tif 000007
【図６】
0003133602.tif 000008